(57)【要約】【課題】  特にLEDによる電飾効果を有すると共に、設置、調整、撤去作業が容易にでき、且つ収納もし易いベルトパーティションを提供する。【解決手段】  本考案は、リング部材（１１）を含み、リング部材（１１）の上部に本体（１３）が設置され、本体（１３）の上端に上部カバー（１７）が被装され、上部カバー（１７）内にスプリング（１２）を含むスプリングケース（１５）が設置され、スプリング（１２）の内部に掛止端（１２１）が設けられると共に、本体（１３）内にベルトケース（２３）が収容される掛止ヘッド（１０）と、ベルト軸（２４）を含み、ベルトケース（２３）内に収容されるベルト組（２０）と、ベルト組（２０）の末端に連結され、上部掛止端（３１１）及び下部掛止端（３２１）が設けられる掛止部材（３０）と、掛止ヘッド（１０）と組合わされるポール（５０）と、を含むことを特徴とする。【選択図】  図２
0003114574.tif 000002
【実用新案登録請求の範囲】
【請求項１】
リング部材（１１）を含み、該リング部材（１１）の上部に本体（１３）が設置され、該本体（１３）の上端に上部カバー（１７）が被装され、該上部カバー（１７）内に、内部にスプリング（１２）を有するスプリングケース（１５）が設置され、該スプリング（１２）の内部に掛止端（１２１）が設けられると共に、本体（１３）内にベルトケース（２３）が収容される掛止ヘッド（１０）と、
中央に、前記掛止端（１２１）と係合する連結スリット（２４１）を有するベルト軸（２４）が設けられ、該ベルト軸（２４）にベルトが巻回された状態で前記ベルトケース（２３）内に収容されるベルト組（２０）と、
前記ベルト組（２０）の末端に連結され、その上下側にそれぞれ前記掛止ヘッド（１０）と掛止する上部掛止端（３１１）及び下部掛止端（３２１）が設けられる掛止部材（３０）と、
上端が前記掛止ヘッド（１０）と組合わされると共に、底部がベース（５１）と組合わされるポール（５０）とを含み、該掛止ヘッド（１０）におけるリング部材（１１）の上端を本体（１３）に組合わせることにより、該本体（１３）にベルトケース（２３）を設置することを特徴とするベルトパーティション。
【請求項２】
前記リング部材（１１）の下部内縁に下部掛止リング（１１２）が設けられ、
前記上部カバー（１７）の下部内縁に上部掛止リング（１７２）が設けられ、
前記ベルト軸（２４）の上端に連結スリット（２４１）を形成することにより、該連結スリット（２４１）をスプリング（１２）の中央に設けられる前記掛止端に組合わせ、
前記上部カバー（１７）の上端中央における軸心部にねじ孔が形成されることにより、球体の装飾ヘッド体が設けられ、
前記掛止部材（３０）におけるフックヘッド（３１）に、前記上部カバー（１７）における上部掛止リング（１７２）と対応する上部掛止端（３１１）が設けられ、
前記掛止部材（３０）のフックヘッド（３１）に、リング部材（１１）における下部掛止部材（１１２）と対応する下部掛止端（３２１）が設けられ、
前記掛止部材（３０）のフックヘッド（３１）と伸縮体（３２）は、スプリング（３３）により連結されることを特徴とする請求項１に記載のベルトパーティション。
【請求項３】
前記ポール（５０）内の上段にLED（７０）を掛止するための掛止リング（７１）が設けられ、前記ベース（５１）内に該LED（７０）に電力を供給するためのバッテリー（７２）が設置されることを特徴とする請求項１に記載のベルトパーティション。
【考案の詳細な説明】
【技術分野】
【０００１】
本考案は、特にLEDによる電飾効果を有すると共に、設置、調整、撤去作業が容易にでき、且つ収納もし易いベルトパーティションに関するものである。
【背景技術】
【０００２】
図８に示すように、従来では一般にガイドポール（６０）が用いられ、該ガイドポール（６０）はポール（６１）を有し、該ポール（６１）の底端にベース（６２）が取付けられると共に、上端にリング盤（６３）が取付けられ、該リング盤（６３）上に装飾ヘッド体（６４）が螺設され、その内、リング盤（６３）の周縁には複数の掛止孔（６３１）が形成され、使用時には、各ガイドポール（６０）におけるリング盤（６３）の掛止孔（６３１）に、両側にフック（６４１）を有するロープ（６５）が掛止される構成である。
【考案の開示】
【考案が解決しようとする課題】
【０００３】
しかしながら、前記従来のガイドポール（６０）は、ロープ（６５）が固定状態であることから、長さが常に一定であるので、より多くのガイドポール（６０）を使用する必要があると共に、該ロープ（６５）の長さを調整することができないので、ポール（６０）間の距離を伸ばそうとすると、ロープ（６５）の重さにより、該ロープ（６５）を水平状態に保てなく、一方、ポール（６０）間の距離を縮めようとすると、該ロープ（６５）が垂下がってしまい、所定の高さを保つことができない。更に、前記ロープ（６５）の両端におけるフック手段は、衝突により変形し易く、前記ロープ（６５）として剛性を有する棒体を用いたとしても、該棒体の長さが一定であるため、調整することができなく、また、従来のガイドポール（６０）は、電球やLEDによる電飾効果を有しないという欠点を有する。
【課題を解決するための手段】
【０００４】
本考案の請求項１は、リング部材（１１）を含み、該リング部材（１１）の上部に本体（１３）が設置され、該本体（１３）の上端に上部カバー（１７）が被装され、該上部カバー（１７）内に、内部にスプリング（１２）を有するスプリングケース（１５）が設置され、該スプリング（１２）の内部に掛止端（１２１）が設けられると共に、本体（１３）内にベルトケース（２３）が収容される掛止ヘッド（１０）と、
中央に、前記掛止端（１２１）と係合する連結スリット（２４１）を有するベルト軸（２４）が設けられ、該ベルト軸（２４）にベルトが巻回された状態で前記ベルトケース（２３）内に収容されるベルト組（２０）と、
前記ベルト組（２０）の末端に連結され、その上下側にそれぞれ前記掛止ヘッド（１０）と掛止する上部掛止端（３１１）及び下部掛止端（３２１）が設けられる掛止部材（３０）と、
上端が前記掛止ヘッド（１０）と組合わされると共に、底部がベース（５１）と組合わされるポール（５０）とを含み、該掛止ヘッド（１０）におけるリング部材（１１）の上端を本体（１３）に組合わせることにより、該本体（１３）にベルトケース（２３）を設置することを特徴とするベルトパーティション、を提供するものであり、
本考案の請求項２は、前記リング部材（１１）の下部内縁に下部掛止リング（１１２）が設けられ、
前記上部カバー（１７）の下部内縁に上部掛止リング（１７２）が設けられ、
前記ベルト軸（２４）の上端に連結スリット（２４１）を形成することにより、該連結スリット（２４１）をスプリング（１２）の中央に設けられる前記掛止端に組合わせ、
前記上部カバー（１７）の上端中央における軸心部にねじ孔が形成されることにより、球体の装飾ヘッド体が設けられ、
前記掛止部材（３０）におけるフックヘッド（３１）に、前記上部カバー（１７）における上部掛止リング（１７２）と対応する上部掛止端（３１１）が設けられ、
前記掛止部材（３０）のフックヘッド（３１）に、リング部材（１１）における下部掛止部材（１１２）と対応する下部掛止端（３２１）が設けられ、
前記掛止部材（３０）のフックヘッド（３１）と伸縮体（３２）は、スプリング（３３）により連結されることを特徴とする請求項１に記載のベルトパーティションを提供するものであり、
本考案の請求項３は、前記ポール（５０）内の上段にLED（７０）を掛止するための掛止リング（７１）が設けられ、前記ベース（５１）内に該LED（７０）に電力を供給するためのバッテリー（７２）が設置されることを特徴とする請求項１に記載のベルトパーティションを提供するものである。
【考案の効果】
【０００５】
本考案は上記の課題を解決するものであり、リング部材を含み、該リング部材の上部に本体が設置され、該本体の上端に上部カバーが被装され、該上部カバー内に、内部にスプリングを有するスプリングケースが設置され、該スプリングの内部に掛止端が設けられると共に、本体内にベルトケースが収容される掛止ヘッドと、中央に、前記掛止端と係合する連結スリットを有するベルト軸が設けられ、該ベルト軸にベルトが巻回された状態で前記ベルトケース内に収容されるベルト組と、前記ベルト組の末端に連結され、その上下側にそれぞれ前記掛止ヘッドと掛止する上部掛止端及び下部掛止端が設けられる掛止部材と、上端が前記掛止ヘッドと組合わされると共に、底部がベースと組合わされるポールと、を含み、前記掛止ヘッドにおけるリング部材の上端を本体に組合わせることにより、該本体に前記ベルトケースを設置し、前記リング部材の下部内縁に下部掛止リングが設けられると共に、前記上部カバーの下部内縁に上部掛止リングが設けられ、また、前記ベルト軸の上端に連結スリットを形成することにより、該連結スリットをスプリングの中央に設けられる前記掛止端に組合わせ、前記上部カバーの上端中央における軸心部にねじ孔が形成されることにより、球体の装飾ヘッド体が設けられ、前記掛止部材におけるフックヘッドに、前記上部カバーにおける上部掛止リングと対応する上部掛止端が設けられると共に、該掛止部材のフックヘッドに、リング部材における下部掛止部材と対応する下部掛止端が設けられ、掛止部材のフックヘッドと伸縮体は、スプリングにより連結され、更に前記ポール内の上段にLEDを掛止するための掛止リングが設けられ、前記ベース内に該LEDに電力を供給するためのバッテリーが設置される構成であるので、以下に示すような効果がある。
【０００６】
１．  本考案のベルトパーティションを使用する時は、単にフック体を外側へ軽く引っ張り出して、予め適当な位置に用意してある他のベルトパーティション上の掛止ヘッドに嵌めるだけでよいので、使用上の利便性が高い。
２．  本考案のベルトパーティションは、ベルト軸にスプリングが組合わされることにより自動巻回手段を構成するので、掛止部材を引張ってベルトを出すと、該自動巻回手段のスプリングが巻き上げられて、エネルギーが蓄えられるので、引張られた掛止部材を緩めると、ベルトが自動的に素早く巻回収容される。
３．  本考案のベルトパーティションは、ベルト組を掛止ヘッド内に完全に収容することができることから、従来のようにわざわざロープや棒体を取外して収納する必要もないので、広い収納スペースを確保しなくてもよい。
４．  本考案のベルト組は、引き出された状態にある時に衝撃を受けたとしても、その衝撃に耐え得る分、ベルトが引き出されるので、人を傷付けることはなく、且つベルトパーティションが破損することもない。更に、前記ベルト組は、一定の高さで引き出すことができるので、従来のようにロープが垂下がってしまうこともない。
５．  本考案のベルトパーティションは、ベルトを引き出す方式を採用しているので、ベルトパーティションを適当な位置に移動させるだけで、調整を行うことができる。
６．  本考案のベルト組の掛止部材は、他のベルトパーティションにおけるベルト組の上部掛止リング及び下部掛止リングに嵌め込む構成であるので、従来と比べより強固に連結することができる。
７．  本考案のベルトパーティションは、ポールの内部にLEDを組み込むことができるので、更に電飾効果を付加することができる。
【考案を実施するための最良の形態】
【０００７】
以下、添付図面を参照して本考案の好適な実施の形態を詳細に説明する。
【実施例】
【０００８】
図１は本考案に係るベルトパーティションの斜視図であり、図２は本考案に係るベルトパーティションの部分分解斜視図であり、図３Aは本考案に係るベルトパーティション掛止部材を掛止ヘッドに取付ける状態を示す側面断面図であり、図３Bは本考案に係るベルトパーティション掛止部材を掛止ヘッドに取付けた状態を示す側面断面図であり、図４は本考案に係るベルトパーティションの使用状態を示す斜視図であり、図５は本考案に係るベルトパーティションの他の使用状態を示す正面図であり、図６は本考案に係るベルトパーティションに装飾ヘッド体を設置した状態を示す斜視図であり、図７は本考案に係るベルトパーティションにLEDを設置した状態を示す部分側面断面図である。
【０００９】
図１、図３A及び図３Bに示すように、本考案のベルトパーティションは、掛止ヘッド（１０）、ベルト組（２０）、フック体（３０）及びポール（５０）から成り、該掛止ヘッド（１０）は外周縁に３つの貫通孔（１１１）が形成されると共に、上端に下部掛止リング（１１２）が設けられるリング部材（１１）を有し、該リング部材（１１）の内部に本体（１３）を嵌め込み、３本のねじ（５２）をリング部材（１１）の貫通孔（１１１）及び本体（１３）に貫通させてポール（５０）の固定孔（５２１）に螺合固定する。
【００１０】
そして、コップ状のベルトケース（２３）を本体（１３）内に入れ、前記ベルト組（２０）は、連結端（２１）をガイド片（２２）に貫通させてからベルトケース（２３）に収容し、この時、該ガイド片（２２）をベルトケース（２３）のガイドスリット（２３２）に挿入し、更にスプリングカバー（１４）をベルト軸（２４）の連結スリット（２４１）に環装することにより、ベルト組（２０）のスプリング（１２）との接触による磨耗を防止し、その後、ベルト軸（２４）の連結スリット（２４１）にスプリング（１２）の掛止端（１２１）を掛止することにより、スプリング（１２）を巻き上げ、ベルトを自動的に素早く巻回収容する。
【００１１】
その後、前記スプリング（１２）にスプリングケース（１５）を被嵌し、上部カバー（１７）の内縁部分を前記下部掛止リング（１１２）に嵌めると共に、２本のねじ（１６）を該上部カバー（１７）周縁の２つのカバー孔（１７１）、前記本体（１３）の孔（１３２）及びベルトケース（２３）上の螺合孔（２３１）に貫通させ、スプリングケース（１５）の周縁における２つの固定孔（１５１）に螺合固定することにより、掛止ヘッド（１０）を組立てる。
【００１２】
前記フック体（３０）は、上端に上部掛止端（３１１）が設けられるフックヘッド（３１）及び該フックヘッド（３１）に組合わされる伸縮体（３２）を有し、該伸縮体（３２）の内部にスプリング（３３）を組み込むと共に、下端に下部掛止端（３２１）を設け、また、該フックヘッド（３１）に前記連結端（２１）を固定すると共に、該連結端（２１）及び当接片（３４）にベルト連結軸（３５）を貫通させてナット（３５１）で螺合して連結端（２１）と掛止部材（３０）とを組合わせ、当接片（３４）をフックヘッド（３１）に取付けて、伸縮体（３２）のフックヘッド（３１）内での移動を制限するように、掛止部材（３０）を組立てる。
【００１３】
前記ポール（５０）は中空状の管体であり、その底部に、上端が前記掛止ヘッド（１０）と組合わされる円盤状のベース（５１）が設けられる。
【００１４】
上述したように、前記ポール（５０）の上端には掛止ヘッド（１０）が組み合わされ、該掛止ヘッド（１０）にはベルト軸（２４）にベルトが巻回されたベルト組（２０）が収容されるので、使用者は単にベルト組（２０）の末端に取付けられた掛止部材（３０）を引張れば、ベルトを水平方向に引き出すことができる。更に、前記ベルト軸（２４）の上端にスプリング（１２）が取付けられるので、ベルト組（２０）を引き出した時、該ベルト軸（２４）が回転すると同時に、スプリング（１２）が巻き上げられて、エネルギーが蓄えられるので、掛止部材（３０）を緩めると、スプリング（１２）の付勢力によりベルトが自動的に収容される。
【００１５】
更に、ベルト組（２０）を完全に収容する時は、該フックヘッド（３１）を前記掛止ヘッド（１０）に近づけ、前記伸縮体（３２）上の下部掛止端（３２１）をリング部材（１１）の下部掛止リング（１１２）に嵌め込み、フックヘッド（３１）を押し込んで上部掛止端（３１１）を上部カバー（１７）の上部掛止リング（１７２）に嵌め込むことにより、掛止部材（３０）を掛止ヘッド（１０）に掛止する。
【００１６】
図４に示すように、本考案のベルトパーティションを実際に使用する時は、単に複数のベルトパーティションを所定の間隔で配置し、上端の掛止部材（３０）外側に引張り、隣側に位置するベルトパーティションの上端の掛止ヘッド（１０）に掛止すればよい。
【００１７】
また、図５に示すように、本考案のベルトパーティションの他の使用方法としては、掛止ヘッド（１０）を一方の壁面に取付けると共に、他方の壁面に掛止体（４０）を取付け、掛止ヘッド（１０）側からベルトを引き出し、その末端を該掛止体（４０）に掛止させて使用することもできる。
【００１８】
また、図６に示すように、本考案のベルトパーティションでは、掛止ヘッド（１０）の上部に好みの形状の装飾ヘッド体を取付けることもできるので、優れた外観を提供できる。
【００１９】
また、図７に示すように、本考案のベルトパーティションでは、前記ポール（５０）内の上段にLED（７０）を掛止するための掛止リング（７１）を設け、前記ベース（５１）内に該LED（７０）に電力を供給するためのバッテリー（７２）を設置することにより、電飾効果を提供することができるので、より優れた外観を提供できると共に、暗所や夜間において使用すれば、安全性を向上させることができる。
【００２０】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００２１】
【図１】本考案に係るベルトパーティションの斜視図である。
【図２】本考案に係るベルトパーティションの部分分解斜視図である。
【図３Ａ】本考案に係るベルトパーティション掛止部材を掛止ヘッドに取付ける状態を示す側面断面図である。
【図３Ｂ】本考案に係るベルトパーティション掛止部材を掛止ヘッドに取付けた状態を示す側面断面図である。
【図４】本考案に係るベルトパーティションの使用状態を示す斜視図である。
【図５】本考案に係るベルトパーティションの他の使用状態を示す正面図である。
【図６】本考案に係るベルトパーティションに装飾ヘッド体を設置した状態を示す斜視図である。
【図７】本考案に係るベルトパーティションにLEDを設置した状態を示す部分側面断面図である。
【図８】従来のガイドポールの斜視図である。
【符号の説明】
【００２２】
１０        掛止ヘッド
１１        リング部材
１１１      貫通孔
１１２      下部掛止リング
１２        スプリング
１２１      掛止端
１３        本体
１３１      孔
１３２      開口
１４        スプリングカバー
１５        スプリングケース
１５１      固定孔
１６        ねじ
１７        上部カバー
１７１      カバー孔
１７２      上部掛止リング
２０        ベルト組
２１        連結端
２２        ガイド片
２３        ベルトケース
２３１      螺合孔
２３２      ガイドスリット
２４        ベルト軸
２４１      連結スリット
３０        掛止部材
３１        フックヘッド
３１１      上部掛止端
３２        伸縮体
３２１      下部掛止端
３３        スプリング
３４        当接片
３５        ベルト連結軸
３５１      ナット
４０        掛止体
５０        ポール
５１        ベース
５２        ねじ
５２１      固定孔
６０        ガイドポール
６１        ポール
６２        ベース
６３        リング盤
６３１      掛止孔
６４        ヘッド体
６４１      フック
６５        ロープ
７０        LED
７１        掛止リング
７２        バッテリー
【図１】
0003114574.tif 000003
【図２】
0003114574.tif 000004
【図３Ａ】
0003114574.tif 000005
【図３Ｂ】
0003114574.tif 000006
【図４】
0003114574.tif 000007
【図５】
0003114574.tif 000008
【図６】
0003114574.tif 000009
【図７】
0003114574.tif 000010
【図８】
0003114574.tif 000011